(57)【特許請求の範囲】
【請求項１】
扉と、
前記扉を支持するヒンジと、
内箱と、
前記内箱を覆う外箱と、
リブを有し、前記内箱を区切る中仕切りと、
前記ヒンジの前記中仕切りへの固定を補強するために前記中仕切りのコーナーに配設される第１補強板と、
前記第１補強板の前記内箱への固定を補強するために前記内箱を介して前記リブと係り合う位置に配設される第２補強板とを備える冷蔵庫。
【請求項２】
前記第１補強板は、
前記ヒンジの前記中仕切りへの固定を補強する前面側片と、
前記第２補強板により前記内箱への固定を補強される側壁側片とを有する略Ｌ字型に構成されることを特徴とする請求項１に記載の冷蔵庫。
【請求項３】
前記第１補強板が配設された前記中仕切りを、内箱成形のための型に嵌合させ、前記内箱を真空成形することにより前記内箱と前記第１補強板とを密着させたことを特徴とする請求項１または請求項２に記載の冷蔵庫。
【請求項４】
前記第１補強板は、前記内箱を真空成形したときに、前記内箱と結合する第１のリブを有することを特徴とした請求項３に記載の冷蔵庫。
【請求項５】
前記第１補強板は第１補強板ネジ穴を有し、前記第２補強板は第２補強板ネジ穴を有し、真空成形により前記第１補強板ネジ穴上の前記内箱に形成される凹部を貫通して、前記第１補強板ネジ穴と、前記第２補強板ネジ穴とをネジ固定することにより、前記第１補強板と、前記第２補強板とを固定したことを特徴とした請求項３に記載の冷蔵庫。
【請求項６】
前記第２補強板は、アンカー形状であることを特徴とした請求項１乃至５のいずれかに記載の冷蔵庫。
【請求項７】
前記第１補強板は、前記中仕切りに設けられた中仕切り溝部に嵌合されることを特徴とした請求項１乃至６のいずれかに記載の冷蔵庫。
【発明の詳細な説明】
【０００１】
【発明の属する技術分野】
本発明は、扉を支持するヒンジを固定するために補強板を用いた冷蔵庫に関するものである。
【０００２】
【従来の技術】
このような冷蔵庫の従来例としては、特開平２−２４２０７１号公報に開示されたものがある。その様子を図６から図１０に示す。
ここで、図６は冷蔵庫の外観を示す斜視図である。図７は、図６の要部を示す斜視図である。図８、図９は図７の一部を更に詳細に示した斜視図である。図１０は、図７の断面図である。
図６から図１０において、１は冷蔵庫の外箱である。２は冷蔵庫の内箱である。３は中仕切りであり、冷蔵庫の内部を、冷蔵室と、冷凍室に分ける役割を有する。３ａは中仕切り３の前面である（図７では図示せず）。また、４は２重フランジであり、外箱１の周縁部を溝を構成するように内側に折り重ねて形成される。即ち、２重フランジ４は、板状の外箱１の周縁部を内側に折り曲げて前面フランジ４ａを設け、更に前面フランジ４ａに連続して裏面フランジ４ｂ、溝底部４ｃ、後ろフランジ４ｄを設けることにより、溝部４ｅを形成するように構成される。また、前面フランジ４ａ、裏面フランジ４ｂにはフランジネジ穴４ｆが設けられる。５はこの２重フランジ４に接合された補強板である。この補強板５は、略コの字型に形成される。
【０００３】
５ａは補強板５に設けられた補強板ネジ穴である。また、５ｂは通称プロジェクションと呼ばれる突起で、補強板５に形成される。この突起５ｂを基準として補強板５は後ろフランジ４ｄの背面にスポット溶接により電気溶接される。尚、４ｇおよび、５ｃはそれぞれ図示しない放熱管を通すために後ろフランジ４ｄおよび、補強板５に設けられた切りかき部及び、窪み部である。
【０００４】
６は、内箱２の周縁部を２段階に外側に折り曲げて形成されたフランジである。６ａはこのフランジ６の第１折り曲げ部、６ｂはフランジ６の第２折り曲げ部である。第２折り曲げ部６ｂは、２重フランジ４の溝部４ｅに挿入される。７は固定板である。固定板７は、３つの部分即ち、後述する仕切り板８の裏面に当接する第１片７ａと、フランジ６の第１折り曲げ部６ａに沿うような角度で折り曲げられた第２片７ｂ、及び両者をつなぐ首部７ｃから構成される。７ｄは第１片７ａに設けられた第１片ネジ穴、７ｅは第２片７ｂに設けられた第２片ネジ穴である。
【０００５】
固定板７は、内箱２の第１折り曲げ部６ａを介して、第１のネジ１５ａにより補強板５にネジどめされる。
このネジ止めは、第２片ネジ穴７ｅ、及び補強板ネジ穴５ａにより行われる。
さらに、固定板７はその平板上の裾状の部分において、中仕切り３の前面３ａに当接している。
８は仕切り板である。この仕切り板は、前面部８ａと、端部８ｂからなり、前面部８ａには前面部ネジ穴８ｃ、端部８ｂには端部ネジ穴８ｄが設けられる。この端部８ｂは、外箱１の２重フランジ４の溝部４ｅに挿入される。９はヒンジであり、図示しない冷蔵庫のドアを回動可能に支持する。９ａおよび９ｂは、それぞれヒンジ９に設けられたヒンジ第１ネジ穴とヒンジ第２ネジ穴である。このヒンジ９は、フランジネジ穴４ｆを介して、ヒンジ第２ネジ穴９ｂ、端部ネジ穴８ｄを貫く第２のネジ１５ｂにより、前フランジ４ａにネジ止めされる。更にヒンジ９は、前面部ネジ穴８ｃを介して、ヒンジ第１ネジ穴９ａ及び、第１片ネジ穴７ｄを貫く第３のネジ１５ｃにより、仕切り板８にネジ止めされる。１０は断熱材であり内箱２と外箱１の間に注入発砲される。
【０００６】
【発明が解決しようとする課題】
従来の冷蔵庫は、外箱１に溶接された補強板５に固定板７を内箱２側からネジ止めする必要がある。このため、補強板ネジ穴５ａと、第２片ネジ穴７ｅを一致させるのが難しく、組み立て作業性が悪いという問題があった。
この発明は、かかる問題を解決するためになされたものであり、外箱１への溶接作業をすることなく、内箱２側だけで、ヒンジ９の固定を行うことにより、組み立てを容易にし、作業性を上げることを目的とする。
【０００７】
【課題を解決するための手段】
扉と、扉を支持するヒンジと、内箱と、内箱を覆う外箱と、リブを有し、内箱を区切る中仕切りと、ヒンジの中仕切りへの固定を補強するために中仕切りのコーナーに配設される第１補強板と、第１補強板の内箱への固定を補強するために内箱を介してリブと係り合う位置に配設される第２補強板とを備える。
【０００８】
また、第１補強板は、ヒンジの前記中仕切りへの固定を補強する前面側片と、第２補強板により内箱への固定を補強される側壁側片とを有する略Ｌ字型に構成される。
【０００９】
さらに、この発明に係る冷蔵庫は、第１補強板が配設された中仕切りを、内箱成形のための型に嵌合させ、内箱を真空成形することにより内箱と第１補強板とを密着させたものである。
【００１０】
またさらに、この発明に係る冷蔵庫の第１補強板は、内箱を真空成形したときに、内箱と結合する第１のリブを有するものである。
【００１１】
またさらに、この発明に係る冷蔵庫の第１補強板は第１補強板ネジ穴を有し、第２補強板は第２補強板ネジ穴を有し、真空成形により第１補強板ネジ穴上の内箱に形成される凹部を貫通して、第１補強板ネジ穴と、第２補強板ネジ穴とをネジ固定することにより、第１補強板と、第２補強板とを固定したものである。
【００１２】
また、この発明に係る冷蔵庫の第２補強板は、アンカー形状であるものである。
【００１３】
さらに、この発明に係る冷蔵庫は、第１補強板は、中仕切りに設けられた中仕切り溝部に嵌合されるものである。
【発明の実施の形態】
実施の形態１
この発明の実施の形態を図１を用いて説明する。
図１において、１１は中仕切り溝部であり、中仕切り３の前面全体及び図示しないヒンジ６を設置する位置近傍のコーナー付近に設けられる。１２は第１補強板であり略Ｌ字型に形成される。この第１補強板１２は、中仕切り溝部１１のコーナーにはめ込まれる。１２ａは前面側片であり、第１補強板１２の前面に位置する。１２ｃは前面側片ネジ穴であり、前面側片１２ａに設けられる。１２ｂは側壁側片であり、第１補強板１２の側面に位置する。１２ｄは第１補強板ネジ穴であり、側面側片１２ｂに設けられる。１２ｅは前面側片ネジ穴１２ｃの周りに設けられた凸部であり、前面側片ネジ穴１２ｃの強度を向上させる。１３は中仕切り挿入溝であり、中仕切り３を挿入固定するために内箱２に設けられる。１３ａは貫通穴であり、図示しないヒンジ６を設置する位置近傍の中仕切り挿入溝１３の側面に設けられる。１４は第２補強板である。この第２補強板１４は、図示しない断熱材１０により埋設される。このため、第２補強板１４はアンカー形状により構成される。ここで、アンカー形状とは、断熱材１０中での第２補強板２の移動を抑制するための板状部と、場合によってはこれに加えて断熱材に食いつくための折り曲げ部を有する形状をいう。その一例として本実施形態では基底部と２枚の羽根状の板を有すると共に、その端部が折り曲げられたものが用いられる。１４ａは第２補強板ネジ穴であり、第２補強板１４の基底部に設けられる。第２補強板１４と、第１補強板１２は貫通穴１３ａを介して第２補強板ネジ穴１４ａと、第１補強板ネジ穴１２ｄを貫通する第４のネジ１５ｄによってネジ止めされる。
【００１４】
図１において、図６〜１０に示す従来例と同一または相当する部分については同一の符号を付してその説明を省略し、図６〜１０と相違する部分について説明した。なお、本実施形態では、第１補強板１２は、中仕切り溝部１１にはめ込まれる場合について説明した。しかし、これに限定する意ではなく、中仕切り３上に単に配設することも可能である。また、本実施形態では、第１のネジ１５ａ、第２のネジ１５ｂ、第３のネジ１５ｃ、第４のネジ１５ｄなどによるネジ固定の場合について説明した。しかし、これに限定する意ではなく同等の強度を有すれば、ビス固定等何でもよい。
【００１５】
本実施形態では第２の補強板を内箱２側にネジ止めするため、従来例のように外箱１側に補強板５をスポット溶接により電気溶接する必要が無い。このため、内箱２側だけで、ヒンジ７の固定を行うことができ、組み立てを容易にし、作業性を上げることができる。また、スポット溶接のための専用設備が必要なく、コストの低減を図ることもできる。さらに、内箱２側への第１補強板１２と、第２補強板１４のネジ止めのみの構造であるため、外箱１と内箱２の位置が確実に決まらないために補強板ネジ穴５ａと、第２片ネジ穴７ｅが合わず、組み立て時のばらつきにより冷蔵庫のドアを支えるだけの十分なヒンジ７の取り付け強度が得られないなどの問題が無い。加えて、第２補強板１４は断熱材１０内に埋設されるアンカー使用で構成されるため、外箱１側に補強板５を溶接しなくとも強度が劣ることもない。また本実施形態では、第１補強板は中仕切り溝部１１にはめ込まれるため、第１補強板の固定が容易で、組立作業効率を向上させることができるとともに、内箱２の真空成形時に盛り上がる部分がなくなる等の効果がある。
【００１６】
実施の形態２
次に、本発明の他の実施の形態について、図２〜５を用いて説明する。図２において、中仕切り溝部１１は中仕切り３の前面及び側面の全体に渡って設けられている。１６は固定橋であり、第１補強板１２を中仕切り溝部１１に固定するために、中仕切り溝部１１の第１補強板を固定する付近の近傍のコーナー側面に設けられる。第１の補強板１２は、この固定橋１２をの下を貫通して、中仕切り溝部１１のコーナーにはめ込まれる。このようにすることで、図２に明らかなように略Ｌ字型の第１補強板１２の前面側片１２ａが中仕切り３の前面に当接するため側壁側片１２ｂに設けられた第１補強板ネジ穴１２ｄの中仕切り３の側面での前後方向の位置が決定し、中仕切り溝部１１に第１補強板１２が嵌合するため、側壁側片１２ｂに設けられた第１補強板ネジ穴１２ｄの中仕切り３の側面での上下方向の位置が決定する。すなわち、第１補強板１２の側壁側片１２ｂに設けられた第１補強板ネジ穴１２ｄの位置が中仕切り３に対し特定されたことになる。１２ｆは第１のリブであり、ここでは一例として第１補強板の側壁側片１２ｂに設けられＬ字形状をした第１の食い付き用Ｌ字リブが用いられる。１７は第２のリブであり、ここでは一例として中仕切り溝部１１の側壁側の縁に設けられ、Ｌ字形状をした第２の食い付き用Ｌ字リブが用いられる。なお、図２に明示したとおりヒンジ９は、第３のネジ１５ｃがヒンジ第１ネジ穴９ａ、仕切り板８に設けられた前面部ネジ穴８ｃ及び第１補強板１２に設けられた前面側片ネジ穴１２ｃに挿入されて、中仕切り３に固定されるものである。
【００１７】
次に、図３を用いて、内箱２の成形の様子を説明する。内箱２は、真空成形により成形される。図３において、１８は内箱成形のための型である。また、１８ａは型１８の冷凍室側であり、１８ｂは冷蔵室側である。更に１８ｃは真空成形の際に、内箱２を冷蔵室と、冷凍室に区画するための中仕切り３を挿入する型溝部である。１９は内箱シートである。
【００１８】
内箱２は、型溝部１８ｃに第１の補強板１２を配設した中仕切り３を挿入後、型１８を、内箱シート１９で覆うことにより真空成形により成形される。
【００１９】
この際、内箱シート１９は、図２で説明した第１の補強板１２の側壁側片１２ｂに密着するとともに、第１のＬ字型食い付きリブ１２ｆ、第２のＬ字型食い付きリブ１７に密着するため、内箱２及び第１補強板１２と、中仕切り３は互いに強固に密着固定される。また、第１補強板ネジ穴１２ｄに内箱シート１９が密着することにより、その部分に凹部ができる。この凹部は、内箱２に貫通穴１３ｂを開ける際の目印となる。このため、容易に貫通穴１３ｂを設けることができる。
【００２０】
次に、図４及び、図５を用いて、第２補強板１４の内箱２への固定について説明する。両図において、１４ｂは嵌着部であり、その一例として本実施形態では第２補強板１４の基底部から羽部への立ち上がりの近傍に設けられた切り起こし片が用いられる。この切り起こし片１４ｂは、第２の食い付き用Ｌ字リブ１７（真空成形により、内箱２が密着している。）のうち特に第１補強板ネジ穴１２ｄ近傍にあるもの（特に１７ａと呼ぶ）と系合することにより、第２補強板ネジ穴１４ａと、第１補強板ネジ穴１２ｄがちょうど合致させることができるような位置に設けられている。尚、本実施形態では嵌着部１４ｂとして切り起こし片が用いられる場合について説明した。しかしこれに限定する意ではなく、嵌着することにより、第２補強板ネジ穴１４ａと、第１補強板ネジ穴１２ｄがちょうど合致させることができるものであればなんでもよい。
尚、図２〜５において、図１に示す実施の形態１と同一又は相当する部分は、同一の符号を付して省略し、図１と相違する部分について説明した。
【００２１】
本実施形態では、切り起こし片１４ｂが、第２の食い付き用Ｌ字リブ１７ａと系合することにより、第２補強板ネジ穴１４ａと、第１補強板ネジ穴１２ｄがちょうど合致させることができるため、上述の実施形態１における効果に加えて、第１補強板ネジ穴１２ｄ、貫通口１３ｂ、第２補強板ネジ穴１４ａの合致する位置を容易に決めることができる。このため、第１補強板１２と、第２補強板１４を、内箱２を介して、第４のネジ１５ｄにより、容易かつ強固に固定することができ、組み立て時のばらつきを解消することができる。
【００２２】
【発明の効果】
この発明に係る冷蔵庫は、扉と、扉を支持するヒンジと、内箱と、内箱を覆う外箱と、リブを有し、内箱を区切る中仕切りと、ヒンジの中仕切りへの固定を補強するために中仕切りのコーナーに配設される第１補強板と、第１補強板の内箱への固定を補強するために内箱を介してリブと係り合う位置に配設される第２補強板とを備えるものであり、外箱に補強板をスポット溶接により電気溶接する必要が無い。このため、内箱２側だけで、ヒンジ７の固定を行うことにより、組み立てを容易にし、作業性を上げることができるとともに、第１補強板と、第２補強板との固定を容易にすることができる。
【００２３】
また、この発明に係る冷蔵庫の第１補強板は、ヒンジの前記中仕切りへの固定を補強する前面側片と、第２補強板により内箱への固定を補強される側壁側片とを有する略Ｌ字型に構成されるものであり、内箱と、第１補強板が互いに強固に密着固定される。
【００２４】
またさらに、この発明に係る冷蔵庫の第１補強板は第１補強板ネジ穴を有し、第２補強板は第２補強板ネジ穴を有し、真空成形により第１補強板ネジ穴上の内箱に形成される凹部を貫通して、第１補強板ネジ穴と、第２補強板ネジ穴とをネジ固定することにより、第１補強板と、第２補強板とを固定したものであり、容易に内箱に貫通穴を設けることができる。
【００２５】
また、この発明に係る冷蔵庫の第２補強板は、アンカー形状であるものであるり、外箱側に補強板を溶接しなくとも強度が劣ることもない。
【００２６】
さらに、この発明に係る冷蔵庫は、第１補強板は、中仕切りに設けられた中仕切り溝部に嵌合されるものであり、第１補強板の固定が容易で、組立作業効率を向上させることができる。
【図面の簡単な説明】
【図１】  この発明の実施の形態１を示す冷蔵庫の斜視図である。
【図２】  この発明の実施の形態２を示す冷蔵庫の要部の斜視図である。
【図３】  この発明の実施の形態２を示す冷蔵庫の内箱２の形成の様子を示す図である。
【図４】  第２補強板１４の内箱２への固定を示す斜視である。
【図５】  第２補強板１４の内箱２への固定を示す断面図である。
【図６】  従来の冷蔵庫の外観を示す斜視図である。
【図７】  図６の要部を示す斜視図である。
【図８】  図７の一部を更に詳細に示した斜視図である。
【図９】  図７の一部を更に詳細に示した斜視図である。
【図１０】  図７の断面図である。
【符号の説明】
１  外箱、２  内箱、３  中仕切り、４  ２重フランジ、４ａ  前面フランジ、４ｂ  裏面フランジ、４ｃ  溝底部、４ｄ  後ろフランジ、４ｅ  溝部、４ｆフランジネジ穴、４ｇ  切りかき部、５  補強板、５ａ  補強板ネジ穴、５ｂ  プロジェクション、５ｃ  窪み部、６  フランジ、６ａ  第１折り曲げ部、６ｂ  第２折り曲げ部、７  固定板、７ａ  第１片、７ｂ  第２片、７ｃ  首部、７ｄ  第１片ネジ穴、７ｅ  第２片ネジ穴、８  仕切り板、８ａ  前面部、８ｂ  端部、８ｃ  前面部ネジ穴、８ｄ  端部ネジ穴、９  ヒンジ、９ａ  ヒンジ第１ネジ穴、９ｂ  ヒンジ第２ネジ穴、１０  断熱材、１１  中仕切り溝部、１２  第１補強板、１２ａ  前面側片、１２ｂ  側壁側片、１２ｃ  前面側片ネジ穴、１２ｄ  第１補強板ネジ穴、１２ｅ  凸部、１３  中仕切り挿入溝、１３ａ  貫通口、１４  第２補強板、１４ａ  第２補強板ネジ穴、１５ａ  第１のネジ、１５ｂ  第２のネジ、１５ｃ  第３のネジ、１５ｄ  第４のネジ、１６  固定橋、１７  第２のリブ、１８  型、１８ａ  冷凍室側、１８ｂ  冷蔵室側、１８ｃ  型溝部、１９  内箱シート。
【図１】
0004006901.tif 000002
【図２】
0004006901.tif 000003
【図３】
0004006901.tif 000004
【図４】
0004006901.tif 000005
【図５】
0004006901.tif 000006
【図６】
0004006901.tif 000007
【図７】
0004006901.tif 000008
【図８】
0004006901.tif 000009
【図９】
0004006901.tif 000010
【図１０】
0004006901.tif 000011